(57)【特許請求の範囲】
【請求項１】
ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の前記水平に支持される一端部と前記ストレッチャのベッド面を形成するパイプからなるフレームとの間に介在する、前記回転の中心線に沿った複数の固定溝が形成されると共に前記フレームの内周面に固定される溝側スリーブと、前記レバー部側に底部を向けて前記溝側スリーブ内部に配置され内周面に固定されるばね受け筒と、前記固定溝同士を前記レバー部側で前記回転の方向に連結するように前記回転の方向に沿って形成される回転溝と、前記レバー部と反対側に頭部を位置させて前記ばね受け筒の底部を摺動可能に貫通するボルトと、前記ばね受け筒の底部を貫通して突出するボルトの先端部分に螺合されて前記溝側スリーブの内周面に対して摺動可能に設けられると共に前記固定溝と前記回転溝とに嵌入する係合突起が形成され且つ前記レバー部に固定される突起保持部材と、前記ばね受け筒に収容され当該ばね受け筒の底部と前記ボルトの頭部との間に介在してこれら底部と頭部とを引き離すように付勢して前記ばね受け筒及び前記フレームと前記突起保持部材及び前記レバー部とを近接するように付勢する圧縮コイルばねとを有する変位固定手段を備え、前記係合突起を前記固定溝に嵌入させることによって前記レバー部と前記フレームとを相対回転しないように固定させると共に前記係合突起が前記固定溝に嵌入した状態が前記圧縮コイルばねによって維持され、且つ、前記レバー部と前記フレームとを前記圧縮コイルばねに抗して引き離して前記係合突起を前記固定溝から引き出して前記回転溝に嵌入させ旋回させて他の固定溝に嵌入させることによって前記レバー部と前記フレームとを相対回転させて固定させることを特徴とするレバー装置。
【請求項２】
ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の前記水平に支持される一端部と前記ストレッチャのベッド面を形成するパイプからなるフレームとの間に介在する、前記回転の中心線に沿った複数の固定溝が形成されると共に前記レバー部の内周面に固定される溝側スリーブと、前記フレーム側に底部を向けて前記溝側スリーブ内部に配置され内周面に固定されるばね受け筒と、前記固定溝同士を前記フレーム側で前記回転の方向に連結するように前記回転の方向に沿って形成される回転溝と、前記フレームと反対側に頭部を位置させて前記ばね受け筒の底部を摺動可能に貫通するボルトと、前記ばね受け筒の底部を貫通して突出するボルトの先端部分に螺合されて前記溝側スリーブの内周面に対して摺動可能に設けられると共に前記固定溝と前記回転溝とに嵌入する係合突起が形成され且つ前記フレームに固定される突起保持部材と、前記ばね受け筒に収容され当該ばね受け筒の底部と前記ボルトの頭部との間に介在してこれら底部と頭部とを引き離すように付勢して前記ばね受け筒及び前記レバー部と前記突起保持部材及び前記フレームとを近接するように付勢する圧縮コイルばねとを有する変位固定手段を備え、前記係合突起を前記固定溝に嵌入させることによって前記レバー部と前記フレームとを相対回転しないように固定させると共に前記係合突起が前記固定溝に嵌入した状態が前記圧縮コイルばねによって維持され、且つ、前記レバー部と前記フレームとを前記圧縮コイルばねに抗して引き離して前記係合突起を前記固定溝から引き出して前記回転溝に嵌入させ旋回させて他の固定溝に嵌入させることによって前記レバー部と前記フレームとを相対回転させて固定させることを特徴とするレバー装置。
【請求項３】
ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の前記水平に支持される一端部と前記ストレッチャのベッド面を形成するパイプからなるフレームとの間に介在する、前記フレームに形成される前記回転の中心線に沿った複数の固定溝と、前記レバー部側に底部を向けて前記フレーム内部に配置され内周面に固定されるばね受け筒と、前記固定溝同士を前記レバー部側で前記回転の方向に連結するように前記回転の方向に沿って形成される回転溝と、前記レバー部と反対側に頭部を位置させて前記ばね受け筒の底部を摺動可能に貫通するボルトと、前記ばね受け筒の底部を貫通して突出するボルトの先端部分に螺合されて前記フレームの内周面に対して摺動可能に設けられると共に前記固定溝と前記回転溝とに嵌入する係合突起が形成され且つ前記レバー部に固定される突起保持部材と、前記ばね受け筒に収容され当該ばね受け筒の底部と前記ボルトの頭部との間に介在してこれら底部と頭部とを引き離すように付勢して前記ばね受け筒及び前記フレームと前記突起保持部材及び前記レバー部とを近接するように付勢する圧縮コイルばねとを有する変位固定手段を備え、前記係合突起を前記固定溝に嵌入させることによって前記レバー部と前記フレームとを相対回転しないように固定させると共に前記係合突起が前記固定溝に嵌入した状態が前記圧縮コイルばねによって維持され、且つ、前記レバー部と前記フレームとを前記圧縮コイルばねに抗して引き離して前記係合突起を前記固定溝から引き出して前記回転溝に嵌入させ旋回させて他の固定溝に嵌入させることによって前記レバー部と前記フレームとを相対回転させて固定させることを特徴とするレバー装置。
【請求項４】
ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の前記水平に支持される一端部と前記ストレッチャのベッド面を形成するパイプからなるフレームとの間に介在する、前記レバー部に形成される前記回転の中心線に沿った複数の固定溝と、前記フレーム側に底部を向けて前記レバー部内部に配置され内周面に固定されるばね受け筒と、前記固定溝同士を前記フレーム側で前記回転の方向に連結するように前記回転の方向に沿って形成される回転溝と、前記フレームと反対側に頭部を位置させて前記ばね受け筒の底部を摺動可能に貫通するボルトと、前記ばね受け筒の底部を貫通して突出するボルトの先端部分に螺合されて前記レバー部の内周面に対して摺動可能に設けられると共に前記固定溝と前記回転溝とに嵌入する係合突起が形成され且つ前記フレームに固定される突起保持部材と、前記ばね受け筒に収容され当該ばね受け筒の底部と前記ボルトの頭部との間に介在してこれら底部と頭部とを引き離すように付勢して前記ばね受け筒及び前記レバー部と前記突起保持部材及び前記フレームとを近接するように付勢する圧縮コイルばねとを有する変位固定手段を備え、前記係合突起を前記固定溝に嵌入させることによって前記レバー部と前記フレームとを相対回転しないように固定させると共に前記係合突起が前記固定溝に嵌入した状態が前記圧縮コイルばねによって維持され、且つ、前記レバー部と前記フレームとを前記圧縮コイルばねに抗して引き離して前記係合突起を前記固定溝から引き出して前記回転溝に嵌入させ旋回させて他の固定溝に嵌入させることによって前記レバー部と前記フレームとを相対回転させて固定させることを特徴とするレバー装置。
【請求項５】
前記固定溝がフレームまたはレバー部の内外を貫通するものとして形成されると共に前記固定溝を外側から覆い隠すカバーを備えることを特徴とする請求項３または４記載のレバー装置。
【請求項６】
前記レバー部の他端部の先端に把持部が形成されることを特徴とする請求項１から４のいずれか一つに記載のレバー装置。
【請求項７】
前記レバー部の他端部の先端に相対回転するブラケット部が取り付けられ、前記レバー部の他端部と前記ブラケット部との間に介在する、回転の中心線に沿った複数の固定溝が形成されると共に前記レバー部の内周面に固定される溝側スリーブと、前記ブラケット部側に底部を向けて前記溝側スリーブ内部に配置され内周面に固定されるばね受け筒と、前記固定溝同士を前記ブラケット部側で前記回転の方向に連結するように前記回転の方向に沿って形成される回転溝と、前記ブラケット部と反対側に頭部を位置させて前記ばね受け筒の底部を摺動可能に貫通するボルトと、前記ばね受け筒の底部を貫通して突出するボルトの先端部分に螺合されて前記溝側スリーブの内周面に対して摺動可能に設けられると共に前記固定溝と前記回転溝とに嵌入する係合突起が形成され且つ前記ブラケット部に固定される突起保持部材と、前記ばね受け筒に収容され当該ばね受け筒の底部と前記ボルトの頭部との間に介在してこれら底部と頭部とを引き離すように付勢して前記ばね受け筒及び前記レバー部と前記突起保持部材及び前記ブラケット部とを近接するように付勢する圧縮コイルばねとを有する変位固定手段を更に備え、前記係合突起を前記固定溝に嵌入させることによって前記ブラケット部と前記レバー部とを相対回転しないように固定させると共に前記係合突起が前記固定溝に嵌入した状態が前記圧縮コイルばねによって維持され、且つ、前記ブラケット部と前記レバー部とを前記圧縮コイルばねに抗して引き離して前記係合突起を前記固定溝から引き出して前記回転溝に嵌入させ旋回させて他の固定溝に嵌入させることによって前記ブラケット部と前記レバー部とを相対回転させて固定させることを特徴とする請求項１から４のいずれか一つに記載のレバー装置。
【請求項８】
前記ブラケット部の先端に把持部が形成されることを特徴とする請求項７記載のレバー装置。
【発明の詳細な説明】
【０００１】
【発明の属する技術分野】
本発明は、軽車両を手動で移動させるときに把持するレバー装置に関する。さらに詳述すると、本発明はキャスタ付きのストレッチャやベッド等のような軽車両に取り付けるのに適したレバー装置に関する。
【０００２】
【従来の技術】
一人で寝起きが困難な患者や老人など（本明細書では総称して「患者」という）が寝た状態のまま移動できるよう、キャスタを備えたストレッチャが使用されることがある。このストレッチャによれば、ベッドと同じように患者を仰向けに横たわらせたまま移動することができる。
【０００３】
この種のストレッチャを移動させるときは、移動者はストレッチャのフレームの一部を把持して押したり引いたりしている。また、ストレッチャのフレームは、患者の乗り降りの邪魔にならないように、マット面と面一かそれより下側に設けられている。
【０００４】
ところで、患者を寝たままの状態でベッドからストレッチャに移し換えたり、あるいはその逆にストレッチャからベッドに移し換える介護システムが開発されている。このような介護システムでは、例えば図に示すようなトランスファーバーと呼ばれる道具を利用して患者の移乗を行っている。
【０００５】
このトランスファーバーを利用して例えばベッドからストレッチャに患者を移し換えるときは、ストレッチャのベッドとは反対側の側部にブラケットを設けて、このブラケットにトランスファーバーを回転可能に支持させる。そして、トランスファーバーにシーツの端を固定して、トランスファーバーを回転させる。これにより、シーツを巻き取ると同時に、シーツに載っている患者をシーツごとベッドからストレッチャに移動させることができる。
【０００６】
ここで、トランスファーバーを支持するブラケットはストレッチャの側部の上方に突出しているため、そのままでは患者の乗り降りに邪魔になるので、ストレッチャに対して着脱可能にしている。
【０００７】
【発明が解決しようとする課題】
しかしながら、上述したストレッチャでは、ストレッチャ自体を移動させるときに移動者はマット面と同等の高さかこれより低いフレームを把持しなければならないので、移動者は腰を曲げて前屈みになってストレッチャの押し引きを行わなければならず、苦しい姿勢で作業性が悪い。このような問題はストレッチャに特有の問題では無く、キャスタを有する例えば移動式浴槽等のフレームの低い軽車両の全般に該当する。
【０００８】
また、ブラケットをストレッチャに対して着脱可能にしているので、ストレッチャから取り外されたブラケットを無くしたり傷めてしまうことがある。特に介護者が老人である場合は、ブラケットを無くしてしまう虞が高い。さらに、このような問題はストレッチャに特有の問題では無く、ブラケットを着脱可能にしたベッドについても該当する。
【０００９】
そこで、本発明は、手動による移動を容易にできるレバー装置を提供することを第１の目的とする。また、本発明は、トランスファーバーを支持するブラケットを無くすことを防止できるレバー装置を提供することを第２の目的とする。
【００１０】
【課題を解決するための手段】
かかる目的を達成するため、請求項１記載のレバー装置は、ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の水平に支持される一端部とストレッチャのベッド面を形成するパイプからなるフレームとの間に介在する、回転の中心線に沿った複数の固定溝が形成されると共にフレームの内周面に固定される溝側スリーブと、レバー部側に底部を向けて溝側スリーブ内部に配置され内周面に固定されるばね受け筒と、固定溝同士をレバー部側で回転の方向に連結するように回転の方向に沿って形成される回転溝と、レバー部と反対側に頭部を位置させてばね受け筒の底部を摺動可能に貫通するボルトと、ばね受け筒の底部を貫通して突出するボルトの先端部分に螺合されて溝側スリーブの内周面に対して摺動可能に設けられると共に固定溝と回転溝とに嵌入する係合突起が形成され且つレバー部に固定される突起保持部材と、ばね受け筒に収容され当該ばね受け筒の底部とボルトの頭部との間に介在してこれら底部と頭部とを引き離すように付勢してばね受け筒及びフレームと突起保持部材及びレバー部とを近接するように付勢する圧縮コイルばねとを有する変位固定手段を備え、係合突起を固定溝に嵌入させることによってレバー部とフレームとを相対回転しないように固定させると共に係合突起が固定溝に嵌入した状態が圧縮コイルばねによって維持され、且つ、レバー部とフレームとを圧縮コイルばねに抗して引き離して係合突起を固定溝から引き出して回転溝に嵌入させ旋回させて他の固定溝に嵌入させることによってレバー部とフレームとを相対回転させて固定させるようにしている。
【００１２】
また、請求項２記載のレバー装置は、ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の水平に支持される一端部とストレッチャのベッド面を形成するパイプからなるフレームとの間に介在する、回転の中心線に沿った複数の固定溝が形成されると共にレバー部の内周面に固定される溝側スリーブと、フレーム側に底部を向けて溝側スリーブ内部に配置され内周面に固定されるばね受け筒と、固定溝同士をフレーム側で回転の方向に連結するように回転の方向に沿って形成される回転溝と、フレームと反対側に頭部を位置させてばね受け筒の底部を摺動可能に貫通するボルトと、ばね受け筒の底部を貫通して突出するボルトの先端部分に螺合されて溝側スリーブの内周面に対して摺動可能に設けられると共に固定溝と回転溝とに嵌入する係合突起が形成され且つフレームに固定される突起保持部材と、ばね受け筒に収容され当該ばね受け筒の底部とボルトの頭部との間に介在してこれら底部と頭部とを引き離すように付勢してばね受け筒及びレバー部と突起保持部材及びフレームとを近接するように付勢する圧縮コイルばねとを有する変位固定手段を備え、係合突起を固定溝に嵌入させることによってレバー部とフレームとを相対回転しないように固定させると共に係合突起が固定溝に嵌入した状態が圧縮コイルばねによって維持され、且つ、レバー部とフレームとを圧縮コイルばねに抗して引き離して係合突起を固定溝から引き出して回転溝に嵌入させ旋回させて他の固定溝に嵌入させることによってレバー部とフレームとを相対回転させて固定させるようにしている。
【００１４】
また、請求項３記載のレバー装置は、ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の水平に支持される一端部とストレッチャのベッド面を形成するパイプからなるフレームとの間に介在する、フレームに形成される回転の中心線に沿った複数の固定溝と、レバー部側に底部を向けてフレーム内部に配置され内周面に固定されるばね受け筒と、固定溝同士をレバー部側で回転の方向に連結するように回転の方向に沿って形成される回転溝と、レバー部と反対側に頭部を位置させてばね受け筒の底部を摺動可能に貫通するボルトと、ばね受け筒の底部を貫通して突出するボルトの先端部分に螺合されてフレームの内周面に対して摺動可能に設けられると共に固定溝と回転溝とに嵌入する係合突起が形成され且つレバー部に固定される突起保持部材と、ばね受け筒に収容され当該ばね受け筒の底部とボルトの頭部との間に介在してこれら底部と頭部とを引き離すように付勢してばね受け筒及びフレームと突起保持部材及びレバー部とを近接するように付勢する圧縮コイルばねとを有する変位固定手段を備え、係合突起を固定溝に嵌入させることによってレバー部とフレームとを相対回転しないように固定させると共に係合突起が固定溝に嵌入した状態が圧縮コイルばねによって維持され、且つ、レバー部とフレームとを圧縮コイルばねに抗して引き離して係合突起を固定溝から引き出して回転溝に嵌入させ旋回させて他の固定溝に嵌入させることによってレバー部とフレームとを相対回転させて固定させるようにしている。
【００１６】
また、請求項４記載のレバー装置は、ストレッチャを押し引きする際に持たれるレバー部であって一端部を水平に支持し当該一端部の長手方向を中心に回転させることによって他端部が水平状態と垂直状態とに変位可能になるＬ字形状のパイプからなるレバー部の水平に支持される一端部とストレッチャのベッド面を形成するパイプからなるフレームとの間に介在する、レバー部に形成される回転の中心線に沿った複数の固定溝と、フレーム側に底部を向けてレバー部内部に配置され内周面に固定されるばね受け筒と、固定溝同士をフレーム側で回転の方向に連結するように回転の方向に沿って形成される回転溝と、フレームと反対側に頭部を位置させてばね受け筒の底部を摺動可能に貫通するボルトと、ばね受け筒の底部を貫通して突出するボルトの先端部分に螺合されてレバー部の内周面に対して摺動可能に設けられると共に固定溝と回転溝とに嵌入する係合突起が形成され且つフレームに固定される突起保持部材と、ばね受け筒に収容され当該ばね受け筒の底部とボルトの頭部との間に介在してこれら底部と頭部とを引き離すように付勢してばね受け筒及びレバー部と突起保持部材及びフレームとを近接するように付勢する圧縮コイルばねとを有する変位固定手段を備え、係合突起を固定溝に嵌入させることによってレバー部とフレームとを相対回転しないように固定させると共に係合突起が固定溝に嵌入した状態が圧縮コイルばねによって維持され、且つ、レバー部とフレームとを圧縮コイルばねに抗して引き離して係合突起を固定溝から引き出して回転溝に嵌入させ旋回させて他の固定溝に嵌入させることによってレバー部とフレームとを相対回転させて固定させるようにしている。
【００１７】
したがって、請求項１から４に記載の発明によると、ストレッチャの移動者が起立したままレバー部を把持できるハンドル位置にレバー部を変位させて固定することによって移動者は起立したままでレバー部を持ってストレッチャを手動で移動させることができる。このため、移動者は前屈みになることなくストレッチャを押し引きできるので、移動を容易に行うことができるようになる。また、患者のストレッチャへの乗り降りの邪魔にならない退避位置にレバー部を変位させて固定することによってレバー部が患者のストレッチャへの乗り降りの邪魔になることを防止することができる。
【００１８】
さらに、請求項５記載の発明は、請求項３または４記載のレバー装置において、固定溝がフレームまたはレバー部の内外を貫通するものとして形成されると共に固定溝を外側から覆い隠すカバーを備えるようにしている。したがって、カバーにより固定溝が外側から覆い隠されているので、固定溝と係合突起との間に使用者の衣服や手指等を誤って挟むことを防止できる。
【００１９】
また、請求項６記載の発明は、請求項１から４のいずれか一つに記載のレバー装置において、レバー部の他端部の先端に把持部が形成されるようにしている。したがって、レバー部が把持部により上方に延長されるので、移動者のレバー装置を把持する高さをより高くすることができる。よって、移動者は把持部を掴んでストレッチャを更に容易に移動させることができるようになる。しかも、把持部をレバー部よりも掴み易い形状にできるので、移動者がストレッチャを移動させるときの作業性を良好にすることができる。
【００２０】
一方、請求項７記載の発明は、請求項１から４のいずれか一つに記載のレバー装置において、レバー部の他端部の先端に相対回転するブラケット部が取り付けられ、レバー部の他端部とブラケット部との間に介在する、回転の中心線に沿った複数の固定溝が形成されると共にレバー部の内周面に固定される溝側スリーブと、ブラケット部側に底部を向けて溝側スリーブ内部に配置され内周面に固定されるばね受け筒と、固定溝同士をブラケット部側で回転の方向に連結するように回転の方向に沿って形成される回転溝と、ブラケット部と反対側に頭部を位置させてばね受け筒の底部を摺動可能に貫通するボルトと、ばね受け筒の底部を貫通して突出するボルトの先端部分に螺合されて溝側スリーブの内周面に対して摺動可能に設けられると共に固定溝と回転溝とに嵌入する係合突起が形成され且つブラケット部に固定される突起保持部材と、ばね受け筒に収容され当該ばね受け筒の底部とボルトの頭部との間に介在してこれら底部と頭部とを引き離すように付勢してばね受け筒及びレバー部と突起保持部材及びブラケット部とを近接するように付勢する圧縮コイルばねとを有する変位固定手段を更に備え、係合突起を固定溝に嵌入させることによってブラケット部とレバー部とを相対回転しないように固定させると共に係合突起が固定溝に嵌入した状態が圧縮コイルばねによって維持され、且つ、ブラケット部とレバー部とを圧縮コイルばねに抗して引き離して係合突起を固定溝から引き出して回転溝に嵌入させ旋回させて他の固定溝に嵌入させることによってブラケット部とレバー部とを相対回転させて固定させるようにしている。
【００２１】
したがって、ブラケット部を、レバー部がハンドル位置にあるときにはブラケット部が支持可能なバー支持位置に位置させることができると共にレバー部が退避位置にあるときには該退避位置に位置させることができ且つ各位置で固定させることができる。このため、レバー部をハンドル位置に位置させると共にブラケット部をバー支持位置に位置させて固定することにより、ブラケット部にトランスファーバーを取り付け支持させて使用することができる。また、ブラケット部及びレバー部を退避位置に位置させて固定することにより、ブラケット部及びレバー部が患者のストレッチャへの乗り降りの邪魔になることを防止することができる。また、ブラケット部の不使用時でもブラケット部はレバー装置に取り付けられたままであるので、ブラケット部を無くしてしまったり取り外した後に損傷してしまうことを防止できる。
【００２２】
また、請求項８記載の発明は、請求項７記載のレバー装置においてブラケット部の先端に把持部が形成されるようにしている。
【００２３】
したがって、レバー部が把持部により上方に延長されるので、移動者のレバー装置を把持する高さをより高くすることができる。よって、移動者は把持部を掴んでストレッチャを更に容易に移動させることができるようになる。しかも、把持部をレバー部よりも掴み易い形状にできるので、移動者がストレッチャを移動させるときの作業性を良好にすることができる。
【００２４】
【発明の実施の形態】
以下、本発明の構成を図面に示す実施の形態の一例に基づいて詳細に説明する。図１〜図１１に本発明のレバー装置１の実施形態を示す。このレバー装置１は、軽車両である例えばストレッチャ２を手動で移動するために移動者が把持するレバー部３と、レバー部３とストレッチャ２とに介在される変位固定手段４とを備えている。そして、変位固定手段４は、図１及び図２に示すようにレバー部３を、移動者が起立したままレバー部３を把持できるハンドル位置Ｈと患者のストレッチャ２への乗り降りの邪魔にならない退避位置Ｑとに変位可能にしている。さらに、変位固定手段４は、レバー部３を各位置Ｈ，Ｑで固定するようにしている。このため、レバー部３をハンドル位置Ｈで固定することにより、移動者は前屈みになることなくレバー部３を持ってストレッチャ２を押し引きできるので、移動を容易に行うことができるようになる。また、レバー部３を退避位置Ｑで固定することにより、レバー部３が患者のストレッチャ２への乗り降りの邪魔になることを防止することができる。
【００２５】
レバー部３は、図３に示すようにほぼ９０度に折り曲げられたＬ字形状のパイプから成る。このため、一端部を水平に支持してこの端部の長手方向を中心に回転させることにより、他端部が水平状態と垂直状態とに変位可能になる。本実施形態では水平状態を退避位置Ｑとすると共に垂直状態をハンドル位置Ｈとしている。
【００２６】
このレバー装置１のレバー部３には、図４に示すようなトランスファーバー５を回転可能に支持可能なブラケット部６が設けられている。ここで、トランスファーバー５は、介護を必要とする患者が寝ている寝台から患者を寝たままの状態でストレッチャ２に移し換えるものである。すなわち、患者が載っているシーツをトランスファーバー５の回転で巻き取ることにより、シーツごと患者を寝台からストレッチャ２に移し換える。
【００２７】
そして、ブラケット部６とレバー部３とには、変位固定手段７が介在されている。この変位固定手段７は、ブラケット部６を、レバー部３がハンドル位置Ｈにあるときにはブラケット部６にトランスファーバー５を支持可能にするバー支持位置Ｓに位置させることができると共にレバー部３が退避位置Ｑにあるときには該退避位置Ｑに位置させることができるようにしている。さらに、この変位固定手段７は、ブラケット部６を各位置Ｓ，Ｑで固定するようにしている。このため、レバー部３をハンドル位置Ｈに位置させると共にブラケット部６をバー支持位置Ｓに位置させることにより（図２中、実線で示す）、移動者はレバー部３を持って前屈みになることなく容易にストレッチャ２を押し引きできると共にブラケット部６にトランスファーバー５を取り付けて患者の移動を行うことができるようになる。また、ブラケット部６及びレバー部３を退避位置Ｑに位置させることにより（図２中、二点鎖線で示す）、ブラケット部６及びレバー部３が患者のストレッチャ２への乗り降りの邪魔になることを防止することができる。しかも、ブラケット部６の不使用時でもブラケット部６はレバー装置１に取り付けられたままであるので、ブラケット部６を無くしてしまったり取り外した後に損傷してしまうことを防止できる。
【００２８】
各変位固定手段４，７は、互いに相対回転する第１部材および第２部材を連結するものとしている。ここでは、図５及び図６に示すように、第１部材としてレバー部３を、第２部材としてストレッチャ２のフレーム８を適用した変位固定手段４について説明する。
【００２９】
この変位固定手段４は、レバー部３およびフレーム８を接近する方向に付勢する付勢手段９と、フレーム８の内側に形成された回転の中心線に沿った複数の固定溝１０と、固定溝１０，１０同士を回転方向に連結する回転溝１１と、レバー部３に形成されると共に固定溝１０および回転溝１１に嵌入する係合突起１２とを備えている。そして、係合突起１２が固定溝１０に嵌入することにより、レバー部３およびフレーム８を相対回転しないように固定すると共に係合突起１２が固定溝１０に嵌入した状態が付勢手段９により維持される。また、レバー部３およびフレーム８を付勢手段９に抗して引き離して係合突起１２を固定溝１０から引き出して回転溝１１に嵌入させることにより、レバー部３およびフレーム８を相対回転して固定することができる。このため、固定溝１０がフレーム８の内側に形成されているので、固定溝１０と係合突起１２との間に使用者の衣服や手指等を誤って挟むことを防止できる。
【００３０】
本実施形態では、各変位固定手段４，７を図７および図８に示すようにレバー部３およびフレーム８から独立したユニット部材として形成している。各変位固定手段４，７は、付勢手段９を収容するばね受け筒１３と、該ばね受け筒１３に固定されると共に固定溝１０が形成される溝側スリーブ１４と、ばね受け筒１３を摺動可能に貫通するボルト１５に螺合されてばね受け筒１３に対して摺動可能に設けられると共に係合突起１２が形成される突起保持部材１６と、該突起保持部材１６に固定される突起側スリーブ１７とを備えている。そして、付勢手段９は圧縮コイルばねから成る。この付勢手段９は、ばね受け筒１３に収容されてばね受け筒１３の底部１３ａとワッシャ２０を介してボルト１５の頭部１５ａとを引き離す方向に付勢している。これにより、ばね受け筒１３および溝側スリーブ１４の固定溝１０側の部材と、突起保持部材１６および突起側スリーブ１７の係合突起１２側の部材とを近接するように付勢している。
【００３１】
固定溝１０は、図９に示すように溝側スリーブ１４の端面１４ａから切り込まれた形状に形成されると共に９０度おきの４カ所に形成されている。このため、固定溝１０側の部材１３，１４と係合突起１２側の部材１６，１７とを９０度おきに固定することができる。
【００３２】
また、回転溝１１は、溝側スリーブ１４の固定溝１０側の端面１４ａより先の空間としている。すなわち、固定溝１０が溝側スリーブ１４の端面１４ａから開放されているので、係合突起１２を移動させるときは固定溝１０から一旦端面１４ａの先側に引き出して旋回し他の固定溝１０に嵌入させる。
【００３３】
係合突起１２は、突起保持部材１６の両側に突出する軸部材から成るようにしている。そして、２つの係合突起１２が１８０度離れた固定溝１０にそれぞれ嵌入するようにしている。このため、係合突起１２が１カ所である場合に比べて、固定溝１０側の部材１３，１４と係合突起１２側の部材１６，１７との回転方向の固定をより強固に行うことができる。
【００３４】
そして、固定溝１０側の部材１３，１４がフレーム８にねじ止め固定されると共に、係合突起１２側の部材１６，１７がレバー部３にねじ止めされている。ここで、溝側スリーブ１４は、固定溝１０がフレーム８の内側に全て隠れる位置に固定する。これにより、固定溝１０をフレーム８の内側に隠すことができるので、固定溝１０と係合突起１２との間に手指等を挟むことを防止できる。
【００３５】
ところで、このレバー装置１では、レバー部３の先端には把持部１８が形成されている。このため、レバー部３がハンドル位置Ｈにある時に把持部１８の分だけ上方に延長されることになるので、移動者は把持部１８を掴んでストレッチャ２を更に容易に移動させることができるようになる。
【００３６】
把持部１８は、図２および図３に示すように握り易い大きさの例えば扁平した球形状のグリップとしている。この把持部１８は、プラスチック製でブラケット部６と一体形成されている。このように把持部１８を握り易い大きさ形状にすることにより、移動者がストレッチャ２を移動させるときの作業性をレバー部３を握って行うよりも良好にすることができる。
【００３７】
ここで、本実施形態のレバー装置１が取り付けられたストレッチャ２の一実施形態を説明する。このストレッチャ２は、寝た状態あるいは座った状態のいずれの患者でも移動できるよう図１及び図１０に示すように上面を平坦としたベッドと図１１に示すような着座可能な椅子とに形態を変更することができる。本実施形態では、ストレッチャ２のこのような形態変更を可能とするため、図１０に示すように折り曲げ可能に組み付けた丸パイプからなるフレーム８によって骨組みを形成している。このフレーム８は例えば軽合金製とすることでストレッチャ２の必要強度を備えつつ軽量化を図ることができる。
【００３８】
フレーム８は、回転する機構は径の異なる丸パイプで形成したヒンジなどの回り対偶によって構成し、伸縮する機構は径の異なるパイプで構成したすべり対偶によって構成することができる。またフレーム８全体としては、形態をベッドあるいは椅子としたときの形状に応じて種々の構成をとり得る。例えば本実施形態では、椅子に形態変更したとき、椅子の両側に平行四辺形の枠組みが形成され、これら枠組みの一部が肘フレーム２１として椅子の肘掛けとして機能するように構成している。このフレーム８は、ベッドに形態変更すると図１及び図１０に示すように平坦となりその上にベッド面２６を形成するのに好適な形状となる。
【００３９】
さらに、フレーム８は両側に旋回可能なセーフティーバー２２を備える。このセーフティーバー２２は、図１中二点鎖線に示すような上向き状態とすることで患者がベッドに形態変更したストレッチャ２から転落するのを防止できる。このため、例えばベッドに変更したストレッチャ２に患者を乗せて移動させるときの転落防止や、このストレッチャ２に対して他のベッドから患者を移乗させるときにストレッチャ２のベッドと反対側から患者が転落することを防止できる。さらに、ストレッチャ２は患者を乗せて移動できるようキャスタ２３を備えている。
【００４０】
フレーム８の頭側部分にはヘッドレスト２４が取り付けられている。フレーム８の頭側の先端部は、ヘッドレスト２４よりも突出すると共に幅方向を長手方向とする頭側端フレーム２５を備えている。この頭側端フレーム２５の両端部に変位固定手段４を介してレバー部３が取り付けられている。
【００４１】
変位固定手段４は９０度ごとに固定可能であるので、レバー部３は、フレーム８と平行かつ面一になる退避位置Ｑとフレーム８に対して上側に直交するハンドル位置Ｈとに変位および固定可能としている。このため、ストレッチャ２がベッド状態の時にレバー部３が退避位置Ｑに有ればストレッチャ２のベッド面２６よりも下方に位置するので、患者の乗り降りの邪魔になることを防止できる。また、ストレッチャ２がベッド状態の時にレバー部３がハンドル位置Ｈに有ればストレッチャ２に対して直立するので、移動者は把持部１８を握って直立した楽な姿勢でストレッチャ２を押し引きすることができる。
【００４２】
また、ブラケット部６は、レバー部３が退避位置Ｑに有るときにはレバー部３の下側を向いた退避位置Ｑに位置可能であると共に、レバー部３がハンドル位置Ｈに有るときにはストレッチャ２の外側を向いたバー支持位置Ｓに位置可能であるようにしている。このため、ストレッチャ２がベッド状態の時にブラケット部６が退避位置Ｑに有ればストレッチャ２のベッド面２６よりも下方に位置するので、ヘッドレスト２４との干渉を防止できると共に患者の乗り降りの邪魔になることを防止できる。また、ストレッチャ２がベッド状態の時にブラケット部６がバー支持位置Ｓに有れば、トランスファーバー５を利用することができるようになる。
【００４３】
さらに、ヘッドレスト２４は先端に向けて狭まるように両側部が傾斜した形状に形成されている。このため、仮にレバー部３を退避位置Ｑに位置させたままで移動者がレバー部３を握ってストレッチャ２を移動させるようにしても、握った手がヘッドレスト２４に干渉することを防止できる。また、レバー部３を退避位置Ｑに位置させたときに把持部１８がヘッドレスト２４に干渉することを防止できる。
【００４４】
また、フレーム８の脚側部分にはフットレスト２７が取り付けられている。フレーム８の脚側の先端部は、フットレスト２７よりも突出すると共に幅方向を長手方向とする脚側端フレーム２８を備えている。この脚側端フレーム２８の両端部に変位固定手段４を介してレバー部３が取り付けられている。この脚側のレバー装置１の動作は頭側のレバー装置１の動作と同様であるので説明を省略する。
【００４５】
一方、ベッドからストレッチャ２に患者を移乗させるために利用するトランスファーバー５は、該トランスファーバー５を回転させるハンドル２９と、基端部がトランスファーバー５に止め付けられた複数のストラップ３０と、ストラップ３０の先端部に固定されたクリップ３１及びプラグ３２とを備えている。
【００４６】
そして、ベッド上の患者をストレッチャ２に移乗させるときは、ベッドの側部にストレッチャ２を位置させる。この状態でストレッチャ２のベッドと反対側の各レバー部３をハンドル位置Ｈに固定すると共にこのレバー部３のブラケット部６をバー支持位置Ｓに固定する。
【００４７】
この２つのブラケット部６にトランスファーバー５を支持させる。そして、ベッドのシーツにクリップ３１を差してプラグ３２で固定する。さらに、ハンドル２９を回転してストラップ３０を巻き取ることにより、シーツ上の患者をシーツごとストレッチャ２上に滑らせて移動させる。このとき、トランスファーバー５はベッド側に引き寄せられるが、バー支持位置Ｓにあるブラケット部６はストレッチャ２の外側を向いているので、トランスファーバー５は必ずレバー部３に当たるようになりブラケット部６から外れてしまうことを防止できる。
【００４８】
上述したストレッチャ２に備えたレバー装置１の動作を以下に説明する。
【００４９】
ベッド状態にしたストレッチャ２を移動させるときは、ストレッチャ２の頭側あるいは脚側のうちで移動者が立つ方のレバー部３をハンドル位置Ｈに引き上げる。ここで、退避位置Ｑにあるレバー部３をハンドル位置Ｈに引き上げて固定するには、レバー部３を一旦引っ張り出して９０度回転させてから離せば良い。そして、移動者は把持部１８を握ってストレッチャ２を押し引きする。このように、レバー部３はフレーム８よりも上方に突出していると共にその上端部の把持部１８が更に高く飛び出しているので、移動者は前屈みになることなく直立した楽な姿勢でストレッチャ２を手動で移動させることができる。よって、移動者の負担を軽減することができる。
【００５０】
また、ストレッチャ２の移動時には、左右のセーフティーバー２２を上げておく。これにより、ストレッチャ２の移動の勢いにより患者が転落することを防止できる。
【００５１】
そして、ストレッチャ２を停止させて患者の乗り降りを行うときは、少なくとも患者が乗り降りする側のレバー部３を退避位置Ｑに位置させる。また、患者が乗り降りする側のセーフティーバー２２を下げる。これにより、レバー部３およびセーフティーバー２２が患者の乗り降りの邪魔になることを防止できる。
【００５２】
さらに、ベッド上の患者をトランスファーバー５の利用によりストレッチャ２に移乗させるときは、ベッドと反対側のレバー部３をハンドル位置Ｈに位置させると共にそのブラケット部６をバー支持位置Ｓに位置させる。そして、これらのブラケット部６にトランスファーバー５を支持させてベッド上のシーツを巻き取る。これにより、シーツごと患者をストレッチャ２上に移動させることができる。
【００５３】
また、ストレッチャ２を椅子状態で使用するときは、各レバー部３を退避位置Ｑに位置させて患者の乗り降りの邪魔にならないようにする。
【００５４】
なお、上述の実施形態は本発明の好適な実施の一例ではあるがこれに限定されるものではなく本発明の要旨を逸脱しない範囲において種々変形実施可能である。例えば、本実施形態では、変位固定手段４，７の固定溝１０側の部材１３，１４をフレーム８に固定すると共に係合突起１２側の部材１６，１７をレバー部３に固定しているが、これには限られず反対に固定溝１０側の部材１３，１４をレバー部３に固定すると共に係合突起１２側の部材１６，１７をフレーム８に固定するようにしても良い。この場合もフレーム８に対してレバー部３を変位および固定可能にすることができる。
【００５５】
また、本実施形態では変位固定手段４，７をユニット部材としているが、これには限られず例えば図１２に示すようにばね受け筒１３をフレーム８に直接固定すると共に突起保持部材１６をレバー部３に直接固定して、尚かつフレーム８あるいはレバー部３の内側に固定溝１０を形成するようにしても良い。この場合にも固定溝１０がフレーム８の外側に露出しないので、使用者が固定溝１０と係合突起１２に手指を挟むことを防止できる。
【００５６】
さらに、本実施形態では固定溝１０をフレーム８やレバー部３の内側に形成しているが、これには限られず図１３に示すように固定溝１０がフレーム８やレバー部３の内外を貫通するように形成しても良い。この場合、同図に示すように固定溝１０の周囲を覆い隠すスリーブ状のカバー１９を設けるようにする。これにより、固定溝１０が外部に露出しなくなるので、使用者が固定溝１０と係合突起１２に手指を挟むことを防止できる。
【００５７】
また、上述の各実施形態では固定溝１０がフレーム８あるいはレバー部３の端面に開放された形状であると共に回転溝１１は端面よりも先の空間としているが、これには限られずこれら固定溝１０と回転溝１１とをいわゆる蟻溝により形成するようにしても良い。すなわち、フレーム８あるいはレバー部３の回転方向に沿った回転溝１１をフレーム８あるいはレバー部３の一方に形成すると共に、固定溝１０を回転溝１１から付勢手段９による引っ張り方向に向けて形成する。この場合も、係合突起１２が固定溝１０にあるときはフレーム８とレバー部３が回転方向に固定されると共に、係合突起１２が回転溝１１にあるときはフレーム８とレバー部３が回転可能になる。
【００５８】
そして、上述した各実施形態では把持部１８が形成されているが、この把持部１８は無くても良い。この場合でも、レバー部３がストレッチャ２の上方に突出するので、移動者はレバー部３の高い位置を持って良い姿勢でストレッチャ２を移動させることができる。
【００５９】
さらに、上述した各実施形態ではレバー部３はＬ字形状としているが、これには限られず図１４に示すようにレバー部３の先端部にストレッチャ２の内側を向いた段差部３ａを形成するようにしても良い。この場合、段差部３ａにブラケット部６を取り付けることができるので、ブラケット部６がストレッチャ２の外側を向いていてもレバー部３よりも外側に突出することを防止できる。このため、ブラケット部６がバー支持位置Ｓにあるときにレバー部３をそのまま退避位置Ｑに倒しても、ブラケット部６がストレッチャ２の外側やベッド面２６の上方に飛び出すことが無い。このため、ブラケット部６をレバー部３に対して変位させる変位固定手段７を省略することができる。
【００６０】
また、上述した各実施形態ではブラケット部６を有しているが、これには限られず図１５に示すようにブラケット部６を有しなくても良い。この場合、レバー部３の先端に単独のグリップ状の把持部１８を取り付けることが好ましい。このレバー装置１によっても、レバー部３がストレッチャ２の上方に突出するので、移動者はレバー部３の高い位置を持って良い姿勢でストレッチャ２を移動させることができる。
【００６１】
さらに、上述した各実施形態では軽車両として椅子に変化可能なストレッチャ２を使用しているが、これには限られず椅子に変化しないストレッチャ２を使用するようにしても良い。あるいは、軽車両はストレッチャ２に限られず、キャスタ付きの移動式浴槽やベッド等、キャスタの付いた比較的低いフレームを有する軽車両の全般とすることができる。
【００６２】
また、上述した各実施形態ではレバー装置１を軽車両に取り付けているが、これには限られず固定式のベッド等の寝台に取り付けてトランスファーバー５を使用するためのブラケット部６の支持装置として利用することもできる。この場合、レバー装置１は、トランスファーバー５を支持するブラケット部６と、該ブラケット部６が取り付けられたレバー部３と、レバー部３と寝台とに介在される変位固定手段４とを少なくとも備えるようにする。そして、変位固定手段４は、ブラケット部６及びレバー部３をバー支持位置Ｓと退避位置Ｑとに変位可能にすると共に各位置で固定するものであるようにする。このレバー装置１によっても、ブラケット部６の不使用時でもブラケット部６はレバー装置１に取り付けられたままであるので、ブラケット部６を無くしてしまったり取り外した後に損傷してしまうことを防止できる。
【００６３】
【発明の効果】
以上の説明より明らかなように、請求項１から４に記載のレバー装置によれば、ハンドル位置にレバー部を変位させて固定することによって移動者は起立したままで前屈みになることなく良い姿勢でストレッチャを押し引きできるので、手動による移動を容易に行うことができる。また、退避位置にレバー部を変位させて固定することによってレバー部が患者のストレッチャへの乗り降りの邪魔になることを防止できる。
【００６７】
さらに、請求項５記載のレバー装置によれば、カバーにより固定溝が外側から覆い隠されているので、固定溝と係合突起との間に使用者の衣服や手指等を誤って挟むことを防止できる。
【００６８】
また、請求項６記載のレバー装置によれば、レバー部が把持部により上方に延長されるので、移動者のレバー装置を把持する高さをより高くしてストレッチャを更に容易に移動させることができる。しかも、把持部をレバー部よりも掴み易い形状にできるので、移動者がストレッチャを移動させるときの作業性を良好にすることができる。
【００６９】
一方、請求項７記載のレバー装置によれば、レバー部をハンドル位置に位置させると共にブラケット部をバー支持位置に位置させて固定することによってブラケット部にトランスファーバーを取り付け支持させて使用することができる。また、ブラケット部及びレバー部を退避位置に位置させて固定することによってブラケット部及びレバー部が患者のストレッチャへの乗り降りの邪魔になることを防止することができる。また、ブラケット部の不使用時でもブラケット部はレバー装置に取り付けられたままであるので、ブラケット部を無くしてしまったり取り外した後に損傷してしまうことを防止できる。
【００７０】
また、請求項８記載のレバー装置によれば、レバー部が把持部により上方に延長されるので、移動者のレバー装置を把持する高さをより高くしてストレッチャを更に容易に移動させることができる。しかも、把持部をレバー部よりも掴み易い形状にできるので、移動者がストレッチャを移動させるときの作業性を良好にすることができる。
【図面の簡単な説明】
【図１】本発明のレバー装置を搭載したストレッチャの側面図である。
【図２】レバー装置を示す斜視図である。
【図３】レバー装置を示す正面図である。
【図４】トランスファーバーを示す斜視図である。
【図５】回転不能な状態の変位固定手段を示す中央縦断面側面図である。
【図６】回転可能な状態の変位固定手段を示す中央縦断面側面図である。
【図７】回転不能な状態の変位固定手段を示す側面図である。
【図８】回転可能な状態の変位固定手段を示す側面図である。
【図９】固定溝を示す斜視図である。
【図１０】ストレッチャの平面図である。
【図１１】ストレッチャの側面図である。
【図１２】変位固定手段の他の実施形態を示す中央縦断面側面図である。
【図１３】変位固定手段の更に他の実施形態を示す中央縦断面側面図である。
【図１４】レバー装置の他の実施形態を示す正面図である。
【図１５】レバー装置の他の実施形態を示す斜視図である。
【符号の説明】
１  レバー装置
２  ストレッチャ（軽車両）
３  レバー部（第１部材）
４  変位固定手段
５  トランスファーバー
６  ブラケット部
７  変位固定手段
８  第２部材としての軽車両のフレーム
９  付勢手段
１０  固定溝
１１  回転溝
１２  係合突起
１８  把持部
１９  カバー
【図１】
0004430776.tif 000002
【図２】
0004430776.tif 000003
【図３】
0004430776.tif 000004
【図４】
0004430776.tif 000005
【図５】
0004430776.tif 000006
【図６】
0004430776.tif 000007
【図７】
0004430776.tif 000008
【図８】
0004430776.tif 000009
【図９】
0004430776.tif 000010
【図１０】
0004430776.tif 000011
【図１１】
0004430776.tif 000012
【図１２】
0004430776.tif 000013
【図１３】
0004430776.tif 000014
【図１４】
0004430776.tif 000015
【図１５】
0004430776.tif 000016